(57)【要約】【課題】  転写ローラから感光体ドラムの表面へ放電が生じることを、簡単な構成で有効に防止しうる手段を備えた画像形成装置を提供する。【解決手段】  感光体ドラムと、該感光体ドラムに対向して位置に設けられている転写ローラと、を備えている電子写真式の画像形成装置であって、前記転写ローラは、導電性シャフトと、該シャフトの両端以外の部分を覆い、感光体ドラムの円筒面の幅よりも狭い幅の円筒状の転写部材と、で構成されており、前記シャフトの少なくとも一方の端であって、前記感光面近傍にシャフトの軸中心方向に向かう環状の溝が設けられており、前記溝のエッジ部分のみが、電気絶縁物質で被われている、ことを特徴とする。【選択図】  図５
2013011772.tif 000002
【特許請求の範囲】
【請求項１】
感光体ドラムと、該感光体ドラムに対向して設けられている転写ローラと、を備えている電子写真式の画像形成装置であって、
前記転写ローラは、導電性シャフトと、該シャフトの両端以外の部分を覆い、感光体ドラムの円筒面の幅よりも狭い幅の円筒状の転写部材と、で構成されており、前記シャフトの少なくとも一方の端であって、前記感光体ドラムの表面に対向又は近傍の位置にシャフトの軸中心方向に向かう環状の溝が設けられており、
前記溝のエッジ部分のみが、電気絶縁物質で被われている、
ことを特徴とする画像形成装置。
【請求項２】
感光体ドラムと、該感光体ドラムに向き合う位置に設けられている転写ローラと、を備えている電子写真式の画像形成装置であって、
前記転写ローラは、導電性シャフトと、該シャフトの両端以外の部分を覆い、感光体ドラムの円筒面の幅よりも狭い幅の円筒状の転写部材と、で構成されており、前記シャフトの少なくとも一方の端であって、前記感光体ドラムの表面に対向又は近傍の位置にシャフトの軸中心方向に向かう環状の溝が設けられており、
前記溝のエッジ部分に、該エッジ部分を斜めに除去した形状の平面を備える、
ことを特徴とする画像形成装置。
【請求項３】
感光体ドラムと、該感光体ドラムに向き合う位置に設けられている転写ローラと、を備えている電子写真式の画像形成装置であって、
前記転写ローラは、導電性シャフトと、該シャフトの両端以外の部分を覆い、感光体ドラムの円筒面の幅よりも狭い幅の円筒状の転写部材と、で構成されており、前記シャフトの少なくとも一方の端であって、前記感光体ドラムの表面に対向又は近傍の位置にシャフトの軸中心方向に向かう環状の溝が設けられており、
前記溝のエッジ部分に、該エッジ部分にＲをつける、Ｒ面処理を施して得られる面を備える、
ことを特徴とする画像形成装置。
【請求項４】
前記シャフトのエッジ部分のみが、電気絶縁物質で被われている、
ことを特徴とする請求項２又は３記載の画像形成装置。
【請求項５】
前記電気絶縁物質が、フッ素樹脂である、
ことを特徴とする請求項１又は４に記載の画像形成装置。
【請求項６】
感光体ドラムと、該感光体ドラムに向き合う位置に設けられている転写ローラと、を備えている電子写真式の画像形成装置であって、
前記転写ローラは、導電性シャフトと、該シャフトの両端以外の部分を覆い、感光体ドラムの円筒面の幅よりも狭い幅の円筒状の転写部材と、で構成されており、前記シャフトの少なくとも一方の端であって、前記感光面近傍にシャフトの軸中心方向に向かう環状の溝が設けられており、
前記溝の軸方向内側のエッジ部分が、該溝に取り付けて用いる、高抵抗又は電気絶縁の樹脂部品によって完全に被われており、かつ、転写部材と該樹脂部品との間のシャフトに、該樹脂部品によって被われていない部分が存在する、
ことを特徴とする画像形成装置。
【請求項７】
前記感光体ドラムの少なくとも前記転写ローラの前記導電性シャフトに対向する表面がアルマイト処理されている、
ことを特徴とする請求項１乃至６の何れか1つに記載の画像形成装置。
【請求項８】
前記感光体ドラムの表面と導電性シャフトとの間に介在する前記転写部材が、肉厚３．５ｍｍ以下で、かつ、０．５ｍｍ以上のイオン導電性ゴムである、
ことを特徴とする請求項１乃至７の何れか１つに記載の画像形成装置。
【発明の詳細な説明】
【技術分野】
【０００１】
本発明は、プリンタ、複写機、ファクシミリ等の電子写真式の画像形成装置に関するものである。
【背景技術】
【０００２】
感光体ドラムを用いる電子写真式の画像形成装置では、まず、帯電器によって帯電されている感光体ドラムの感光層が形成された円筒状の感光体ドラムの表面に、出力画像のレーザ光を照射して静電潜像を形成する。現像器は、静電潜像に、ある色のトナーを付着させてトナー像を形成する。トナー像は、感光体ドラムに対向して設けられている転写ローラによって複写紙又は中間転写ベルトに転写される。前記転写ローラの円筒状転写部材には、トナーと逆極性の電圧が印加される。
【０００３】
装置のコスト低減、小型化を図るため、前記転写ローラの小径化が図られている。この小径化は、転写ローラのシャフト直径を小さくするだけでなく、その上に設けられているゴム部を薄くすることによって行なわれる。一般に３．５ｍｍ程に設定されているゴム部を、それよりも薄くすると、感光体ドラムの表面とシャフトとの距離が短くなり、シャフトから感光体ドラムの表面への放電が発生しやすくなる。
【０００４】
下記特許文献１には、前記転写ローラの導電性シャフトに電気絶縁部品を被せることで、前記放電を防止する、除帯電装置が記載されている。
【先行技術文献】
【特許文献】
【０００５】
【特許文献１】特開平６−３９２４号公報
【発明の概要】
【発明が解決しようとする課題】
【０００６】
転写ローラの転写面の軸方向の幅が感光体ドラムの表面の幅よりも小さく、シャフトの周面から軸中心に向かう溝が前記シャフトの両端の前記感光体ドラムの表面に対向又は近傍の位置に設けられる場合がある。前記溝は、例えば、転写ローラを軸方向において画像形成装置内の定めた位置に保持するのに用いられるものである。
【０００７】
前記特許文献１に記載の技術を用いれば、前記溝を含め、シャフト全体を電気絶縁物質で覆うという構成が得られる。しかし、この場合、使用する部材の増加と、その厚みにより装置の小型化が難しいという問題がある。
【０００８】
本発明は、前記溝を設ける構成において、必要最小限の部品で、前記放電を有効に防ぐ手段を備える画像形成装置を提供することを目的とする。
【課題を解決するための手段】
【０００９】
請求項１記載の画像形成装置は、感光体ドラムと、該感光体ドラムに対向して設けられている転写ローラと、を備えている電子写真式の画像形成装置であって、前記転写ローラは、導電性シャフトと、該シャフトの両端以外の部分を覆い、感光体ドラムの円筒面の幅よりも狭い幅の円筒状の転写部材と、で構成されており、前記シャフトの少なくとも一方の端であって、前記感光体ドラムの表面に対向又は近傍の位置にシャフトの軸中心方向に向かう環状の溝が設けられており、前記溝のエッジ部分のみが、電気絶縁物質で被われている、ことを特徴とする。
【００１０】
請求項２記載の画像形成装置は、感光体ドラムと、該感光体ドラムに向き合う位置に設けられている転写ローラと、を備えている電子写真式の画像形成装置であって、前記転写ローラは、導電性シャフトと、該シャフトの両端以外の部分を覆い、感光体ドラムの円筒面の幅よりも狭い幅の円筒状の転写部材と、で構成されており、前記シャフトの少なくとも一方の端であって、前記感光体ドラムの表面に対向又は近傍の位置にシャフトの軸中心方向に向かう環状の溝が設けられており、前記溝のエッジ部分に、該エッジ部分を斜めに除去した形状の平面を備える、ことを特徴とする。
【００１１】
請求項３記載の画像形成装置は、感光体ドラムと、該感光体ドラムに向き合う位置に設けられている転写ローラと、を備えている電子写真式の画像形成装置であって、前記転写ローラは、導電性シャフトと、該シャフトの両端以外の部分を覆い、感光体ドラムの円筒面の幅よりも狭い幅の円筒状の転写部材と、で構成されており、前記シャフトの少なくとも一方の端であって、前記感光体ドラムの表面に対向又は近傍の位置にシャフトの軸中心方向に向かう環状の溝が設けられており、前記溝のエッジ部分に、該エッジ部分にＲをつける、Ｒ面処理を施して得られる面を備える、ことを特徴とする。
【００１２】
請求項４記載の画像形成装置は、請求項２又は３に記載の画像形成装置であって、前記シャフトのエッジ部分のみが、電気絶縁物質で被われている、ことを特徴とする。
【００１３】
請求項５記載の画像形成装置は、請求項１又は４に記載の画像形成装置であって、前記電気絶縁物質が、フッ素樹脂である、ことを特徴とする。
【００１４】
請求項６記載の画像形成装置は、感光体ドラムと、該感光体ドラムに向き合う位置に設けられている転写ローラと、を備えている電子写真式の画像形成装置であって、前記転写ローラは、導電性シャフトと、該シャフトの両端以外の部分を覆い、感光体ドラムの円筒面の幅よりも狭い幅の円筒状の転写部材と、で構成されており、前記シャフトの少なくとも一方の端であって、前記感光面近傍にシャフトの軸中心方向に向かう環状の溝が設けられており、前記溝の軸方向内側のエッジ部分が、該溝に取り付けて用いる、高抵抗又は電気絶縁性の樹脂部品によって完全に被われており、かつ、転写部材と該樹脂部品との間のシャフトに、該樹脂部品によって被われていない部分が存在する、ことを特徴とする。
【００１５】
請求項７記載の画像形成装置は、請求項１乃至６の何れか1つに記載の画像形成装置であって、前記感光体ドラムの少なくとも前記転写ローラの前記導電性シャフトに対向する表面がアルマイト処理されている、ことを特徴とする。
【００１６】
請求項８記載の画像形成装置は、請求項１乃至７の何れか1つに記載の画像形成装置であって、前記感光体ドラムの表面と導電性シャフトとの間に介在する前記転写部材が、肉厚３．５ｍｍ以下で、かつ、０．５ｍｍ以上のイオン導電性ゴムである、ことを特徴とする。
【発明の効果】
【００１７】
請求項１記載の画像形成装置では、電荷が集中し、放電し易いエッジ部分だけを電気絶縁物質で覆ったことで、シャフト全体を電気絶縁物質で覆う場合に比べ、極めて簡単な構成で、シャフトから感光体ドラムの表面への放電を減少することができる。
【００１８】
請求項２記載の画像形成装置では、シャフトの溝のエッジ部分を斜めに除去した形状の平面を備えることで、電荷の集中を防ぎ、シャフト全体を電気絶縁物質で覆う場合に比べ、極めて簡単な構成で、シャフトから感光体ドラムの表面への放電を減少することができる。
【００１９】
請求項３記載の画像形成装置では、電化が集中し、放電し易いエッジ部分にＲをつけるように加工する、Ｒ面処理を施して得られる面を備えることで、電荷の集中する部分をなくし、シャフト全体を電気絶縁物質で覆う場合に比べ、極めて簡単な構成で、シャフトから感光面への放電を減少することができる。
【００２０】
請求項４記載の画像形成装置では、前記請求項２又は３に記載の画像形成装置において、エッジ部分のみを電気絶縁物質で覆ったことによって、シャフト全体を電気絶縁物質で覆う場合に比べ、極めて簡単な構成で、シャフトから感光体ドラムの表面への放電を減少することができる。
【００２１】
請求項５記載の画像形成装置では、前記請求項２又は３に記載の画像形成装置において、エッジ部分のみが電気絶縁物質であるフッ素樹脂によってコーティングしたことによって、シャフト全体を電気絶縁物質で覆う場合に比べ、極めて簡単な構成で、シャフトから感光体ドラムの表面への放電を減少することができる。
【００２２】
請求項６記載の画像形成装置では、樹脂製の部品で、エッジ部分のみを覆う構成を採用したことによって、シャフト全体を電気絶縁物質で覆う場合に比べ、極めて簡単な構成で、シャフトから感光体ドラムの表面への放電を減少することができる。
【００２３】
請求項７記載の画像形成装置では、請求項１乃至６の何れか1つに記載の画像形成装置において、感光面をアルマイト処理したことによって、シャフトから感光体ドラムの表面への放電をさらに効率よく減少することができる。
【００２４】
請求項８記載の画像形成装置では、請求項１乃至７の何れか1つに記載の画像形成装置において、前記感光体ドラムの表面と導電性シャフトとの間に介在する前記転写部材が、肉厚３．５ｍｍ以下の薄いイオン導電性ゴムであるにもかかわらず、シャフト全体を絶縁性物質で覆う場合と同等の、シャフトから感光体ドラムの表面への放電防止を行なうことができる。
【図面の簡単な説明】
【００２５】
【図１】画像形成装置の概略構成を示す断面図である。
【図２】感光体ドラムと、転写ローラとの構造を示す図である。
【図３】（ａ）低温低湿環境において転写ローラに流れる転写電流と転写電圧の関係を示すグラフである。（ｂ）転写部材の肉厚とリーク発生電圧の関係を示すグラフである。（ｃ）シャフト部に環状の溝を形成して電界強度をシュミレーションした結果を示したものである。
【図４】第２実施形態の構成を示す図である。
【図５】第２実施形態の処理の有無による放電発生電圧の変化を示すグラフである。
【図６】第３実施形態の構成を示す図である。
【図７】第４実施形態の構成を示す図である。
【発明を実施するための形態】
【００２６】
電子写真式の画像形成装置であって、転写ローラは、導電性シャフトと、該シャフトの両端以外の部分を覆い、感光体ドラムの円筒面の幅よりも狭い幅の円筒状の転写部材と、で構成されており、前記シャフトの少なくとも一方の端であって、前記感光面近傍にシャフトの軸中心方向に向かう環状の溝が設けられている、画像形成装置において、本願出願人は、感光体ローラに向き合う又は近くにあるシャフトの全てを電気絶縁物質で覆わずとも、前記エッジ部分だけに、放電を抑制又は防ぐ絶縁処理を施すことで、前記放電を有効に防止できることを確認した。
【００２７】
本発明の画像形成装置は、前記のような電子写真式の画像形成装置において、前記溝のエッジ部分を含む一部分のみに電気絶縁処理を施したことを特徴とする。
【００２８】
電荷が集中し、感光体ドラムの表面へと放電しやすいエッジ部分のみに電気絶縁処理を施すことによって、転写ローラのシャフトから感光体ドラムの表面への放電現象を有効に防止する。
以下、該構成の画像形成装置の第１乃至第４実施形態について説明する。
【００２９】
（１）第１実施形態
図１は、胴内排紙方式の画像形成装置の内部構成の概略断面図である。画像形成装置１の下部には、カセットタイプの用紙給紙部１０が配設されている。用紙給紙部１０は上下２段の給紙カセット１０ａ、１０ｂを有し、給紙カセット１０ａ、１０ｂには印刷前の用紙が積載して収容されている。給紙カセット１０ａ、１０ｂに収容された用紙は、選択された給紙カセット１０ａ（１０ｂ）から用紙ピックアップローラー１０ｄ（１０ｅ）により１枚ずつ繰り出され、繰り出された用紙は用紙搬送路１１へと送り出される。
【００３０】
画像形成装置１の右側面には、手差しトレー１０ｃが配設されている。手差しトレー１０ｃは、給紙カセット１０ａ、１０ｂと異なるサイズの用紙が載置可能である。手差しトレー１０ｃに載置された用紙は用紙搬送路１１へと送り出される。
【００３１】
用紙搬送路１１は、用紙給紙部１０の左方にて装置本体２の上下方向に延設される。用紙給紙部１０から送り出された用紙が、用紙搬送路１１上方のレジストローラー対１２に搬送される。レジストローラー対１２は、用紙にトナー像を転写するタイミングと同期をとって、画像形成部３に向けて用紙を送り出す。
【００３２】
画像形成装置１の上部には原稿読取装置２が配設され、原稿読取装置２の上面には、プラテン（原稿押さえ）２５が開閉可能に設けられ、さらに、プラテン２５上には原稿搬送装置２６が付設されている。原稿のコピーを行う場合、原稿搬送装置２６に載置された原稿が１枚ずつ分離されて原稿読取部に送り出され、原稿読取装置２によって原稿の画像データが読み取られる。
【００３３】
画像形成装置１の略中央部には、画像形成部３が配設されている。画像形成部３は、像担持体である感光体ドラム２１を備え、さらに感光体ドラム２１の周辺にその回転方向（図中のＡ方向）に沿って順に、帯電部４と、露光ユニット７と、現像部８と、転写ローラ６、及びクリーニング部５を備える。現像部８へのトナーの供給はトナーコンテナ９から行われる。クリーニング部５は、ブレードやブラシ或いは研磨ローラ等のクリーニング部材を有し、クリーニング部材によって感光体ドラム２１の表面に残留するトナーを剥ぎ取り、回収する。
【００３４】
感光体ドラム２１の表面が帯電部４によって所定の極性および電位で一様に帯電されると、 露光ユニット７は、原稿読取装置２によって読み取られた原稿の画像データに基づいて、感光体ドラム２１上に原稿画像の静電潜像を形成する。
【００３５】
現像部８は、帯電したトナーを感光体ドラム２１の表面に供給し、感光体ドラム２１上の静電潜像を現像してトナー像を形成する。トナー像は転写ローラ６によって用紙上に転写される。トナー像が転写された用紙は、用紙搬送路１１の上方に配設される定着部２２へと搬送される。用紙にトナー像が転写された後、感光体ドラム２１の表面に残留するトナーがクリーニング部５によってクリーニングされて回収され、さらに図示しない除電装置によって感光体ドラム２１の表面の残留電荷が除去される。
【００３６】
定着部２２は、熱源を内蔵する定着ローラ２２ａと加圧ローラ２２ｂとを有し、トナー像が転写された用紙を定着ローラ２２ａ及び加圧ローラ２２ｂによって加圧加熱し、用紙上のトナー像を溶融定着させる。トナー像が定着された用紙は、用紙搬送路１１において右上方に搬送され排出ローラ対２３によって排出部である胴内排紙部２４に排出される。
【００３７】
図２は、感光体ドラム２１と、転写ローラ６との構造を示す図である。図２（ａ）は、軸方向から見た図であり、図２（ｂ）は、図２（ａ）に示す矢印２００方向から見た図である。転写ローラ６は、導電性の金属シャフト１３と、該シャフトを覆うゴム部１４と、溝１５と、を備えている。ゴム部１４は、シャフト１３の両端以外の部分を覆う円筒状転写面であって、感光体ドラム２１の円筒面の幅よりも小さな幅を有している。溝１５は、シャフト１３の少なくとも一方の端であって、感光体ドラム２１の表面に対向又は近傍の位置に設けられている、シャフトの軸中心方向に向かう環状の溝である。該溝１５は、転写ローラ６を画像形成装置１本体のフレームに固定すると共に、駆動力を伝達するのに用いる。ゴム部１４は、肉厚３．５ｍｍのイオン導電性ゴムである。
【００３８】
図３（ａ）は、低温低湿環境において転写ローラ６に流れる転写電流と転写電圧の関係を示すグラフである。図２に示す転写ローラ６は、φ６のＳＵＳ製のシャフト上に外径がφ１２．３で抵抗値が１０ｌｏｇ７Ωのイオン導電部材（ＥＣＯ＋ＮＢＲ）の転写部材を形成したものである。転写部材の長さは３０６ｍｍである。イオン導電部材は低湿低温環境では常温環境よりも抵抗が高くなるとともに、転写ローラを使用するのにともなって低下していく。低温低湿環境においては、転写ローラに３０μＡの転写電流を流す。このとき、初期の転写ローラでは約６ｋＶの電圧が発生する。３０万枚の印刷に使用した後の転写ローラでは約２．５ｋＶの電圧が発生する。
【００３９】
図３（ｂ）は、図３（ａ）と同じ転写ローラにおいて転写部材の肉厚とリーク発生電圧の関係を示すグラフである。肉厚が２ｍｍの場合は４．５ｋＶ以上ではリークが発生し、肉厚が３ｍｍの場合は７．２ｋＶ以上になるとリークが発生することが分かる。
【００４０】
図３（ｃ）は、転写ローラの転写部材の外側のシャフト部に、幅１ｍｍで深さが０．５ｍｍの軸中心方向に向かう環状の溝を形成して、電界強度をシュミレーションした結果を示したものである。設定条件は、転写ローラの抵抗値が１０ｌｏｇ８Ωであり、転写ローラのシャフトに３０μAの定電流を流す場合である。また、Ｃ面加工は０．２ｍｍである。転写ローラの転写部材の厚みを３ｍｍとした場合の低温低湿環境における放電が発生し始める放電限界の電界強度は６．２ＭＶ／ｍである。シュミレーション結果から、溝のエッジ部では電界強度が急激に上昇して放電限界に近い電界強度になっており、エッジ部をＣ面加工することで電界強度の上昇が抑制されることがわかる。
【００４１】
図３（ａ）〜（ｃ）に示す結果から、シャフト１３は、溝１５のエッジ部分を含む一部分だけが、電気絶縁物質１６、例えば、フッ素樹脂によってコーティングされており、かつ、ゴム部１４と溝１５との間に電気絶縁物質１６によって被われていない部分が存在する構成とした。該構成を採用した場合、ゴム部１４の厚みが１．５ｍｍ〜３．５ｍｍの範囲にある場合であっても、通常の動作時に印加される電圧では、放電は全く発生しなかった。このことは、必要最小限の絶縁処理で、シャフト１３の全てを電気絶縁物質で覆う場合と同等の効果が得られること意味する。
【００４２】
なお、感光体ドラム２１の感光面には、アルマイト処理を施しても良い。この場合、シャフト１３からの放電をより有効に防ぐことができる。
【００４３】
（２）第２実施形態
図４は、第２実施形態の画像形成装置が備える、シャフト１３’を示す。第１実施形態の画像形成装置１と同じ構成物には同じ参照番号を付して示し、重複した説明は省く。
【００４４】
シャフト１３’は、表面（例えば、Ａ面という）と、該表面と直交する溝１５の壁（例えばＢ面という）と、が接続されるエッジ部分を斜めに除去した形状の、平面１７（前記Ａ面、Ｂ面に対し、いわゆるＣ面と呼ばれている）を備えていることを特徴とする。
【００４５】
前記平面１７を形成することによって、電荷の集中を分散することができ、結果として、放電を抑えることができる。エッジ部に新たな平面を追加することによって、電荷の集中を分散するという観点に基づけば、平面１７と、シャフト１３’の表面、及び／又は、平面１７と溝１５の壁、の接続部分に形成されるエッジに更に１又は複数の平面を追加することもできる。
【００４６】
図５は、平面１７の有無による放電発生電圧の変化を示すグラフである。平面１７を有している場合を実線で示し、有していない場合を点線で示す。グラフから明らかなように、エッジ部分に平面１７を形成しただけで、放電発生電圧を１ＫＶ以上高くすることができた。
【００４７】
第２実施形態の画像形成装置は、第１実施形態の画像形成装置１に比べて、より簡単な加工で、効率よく放電防止を行なうことができる。
【００４８】
なお、第１実施形態の画像形成装置１のように、平面１７を含む一部分だけを、電気絶縁物質１６、例えば、フッ素樹脂によってコーティングすることによって、より効率よく放電を防ぐことができる。この場合、平面１７の前記効果に起因して、第１実施形態の場合に比べて、より薄いコーディングによって、同等の放電防止効果を奏することができる。
【００４９】
（３）第３実施形態
図６は、第３実施形態の画像形成装置が備えるシャフト１３”を示す。第１実施形態の画像形成装置１と同じ構成物には同じ参照番号を付して示し、重複した説明は省く。
【００５０】
シャフト１３”は、表面と、該表面と直交する溝１５の壁と、の接続部分に、Ｒをつけた（いわゆるＲ面処理を施した）ことを特徴とする。以下、このＲをつけた面をＲ面１８という。
【００５１】
前記処理を施すことによって、第２実施形態の平面１７を形成する場合に比べ、エッジ部分が減り、電荷の集中を分散することができ、結果として、より効率よくシャフトから感光面への放電を抑えることができる。
【００５２】
なお、第１実施形態の画像形成装置１のように、シャフト１３”のＲ面１８を含む一部分だけを、電気絶縁物質１６、例えば、フッ素樹脂によってコーティングすることによって、より効率よく放電を防ぐことができる。この場合、前記Ｒ面１８の効果に起因して、第１実施形態の場合に比べて、より薄いコーディングによって、同等の放電防止効果を奏することができる。
【００５３】
（４）第４実施形態
図７は、第４実施形態の画像形成装置が備えるシャフト１３'"を示す。第１実施形態の画像形成装置１と同じ構成物には同じ参照番号を付して示し、重複した説明は省く。
【００５４】
シャフト１３'"は、溝１５を有しているシャフトの端部の内、駆動用ギアが設けられる側の端部において、電気絶縁性の駆動用ギア１９を、溝１５を完全に覆うような形態で取り付けたことを特徴とする。
【００５５】
溝１５を駆動用ギア１９で覆うことで、前記放電をほぼ完全に防ぐことができる。
【００５６】
前記構成を採用することで、溝１５のエッジ部分に前記平面１７、Ｒ面１８を設ける必要を無くし、加工工程を少なくすることができる。なお、駆動ギア１９を設けない側については、前記第１乃至第３実施形態の画像形成装置の備える何れかのシャフトの形態を採用する。
【産業上の利用可能性】
【００５７】
本発明は、図１に示した形式に限らず、感光体ドラムと、転写ローラと、を備える種々の形式の電子写真式の画像形成装置に用いることができる。
【符号の説明】
【００５８】
１                          画像形成装置
６                          転写ローラ
１３、１３’、１３”、１３'"   シャフト
１４                        ゴム部
１５                        溝
１６                        電気絶縁物質
１７                        平面
１８                        Ｒ面
１９                        駆動ギア
２１                        感光体ドラム
【図１】
2013011772.tif 000003
【図２】
2013011772.tif 000004
【図４】
2013011772.tif 000005
【図５】
2013011772.tif 000006
【図６】
2013011772.tif 000007
【図７】
2013011772.tif 000008
【図３】
2013011772.tif 000009